【手続補正書】
【提出日】平成22年6月18日(2010.6.18)
【手続補正１】
【補正対象書類名】特許請求の範囲
【補正対象項目名】全文
【補正方法】変更
【補正の内容】
【特許請求の範囲】
【請求項１】
下記の工程（１）、（２）および（３）を有することを特徴とするコーティング剤の製造方法：
（１）加水分解性シラン化合物（Ａ）、アルコール（Ｂ）、及び炭酸水（Ｃ）を混合し、炭酸水（Ｃ）の混合量によりｐＨを５．０≦ｐＨ≦６．４に調整して混合物を作成する工程、
（２）前記混合物を加熱還流して、加水分解性シラン化合物（Ａ）の脱水・縮合反応によりポリシロキサンを生成させポリシロキサン溶液を作成する工程、
（３）前記ポリシロキサン溶液に光重合開始剤（Ｄ）を添加する工程。
【請求項２】
ポリシロキサンの重量平均分子量（Ｍｗ）が４．０以上４．５以下である請求項１に記載のコーティング剤の製造方法。
【請求項３】
前記加水分解性シラン化合物（Ａ）が、式（１）で表される化合物を含む請求項１又は２に記載のコーティング剤の製造方法。
【化１】
2009057472.tif 000001
（式中、Ｒ11、Ｒ12は、独立して飽和又は不飽和の１価の炭化水素基を示し、Ｚ11は、２価の有機基を示し、Ｒｃ11は、カチオン重合可能な官能基を示し、ｄは０〜２のいずれかの整数を示し、ｅは１〜３のいずれかの整数を示し、ｄ＋ｅ＝３である。）
【請求項４】
前記加水分解性シラン化合物（Ａ）が、式（２）で表される化合物を含む請求項１から３のいずれか一項に記載のコーティング剤の製造方法。
【化２】
2009057472.tif 000002
（式中、Ｒ21、Ｒ22は、独立して無置換又は置換基を有するアルキル基を示し、Ｚ21は、２価の有機基を示し、Ｒｐ21は、炭素数１〜１１のパーフルオロアルキル基を示し、ｆは０〜２のいずれかの整数を示し、ｇは１〜３のいずれかの整数を示し、ｆ＋ｇ＝３である。）
【請求項５】
前記加水分解性シラン化合物（Ａ）が、式（３）で表される化合物を含む請求項１から４のいずれか一項に記載のコーティング剤の製造方法。
【化３】
2009057472.tif 000003
（式中、Ｒ31は、無置換若しくはフェニル基を有するアルキル基、又は、無置換若しくはアルキル基を有するアリール基を示し、Ｒ32は、飽和又は不飽和の１価の炭化水素基を示し、ａは０〜３のいずれかの整数を示し、ｂは１〜４のいずれかの整数を示し、ａ＋ｂ＝４である。）。
【請求項６】
前記光重合開始剤（Ｄ）がカチオン重合開始剤を含む請求項１から５のいずれか一項に記載のコーティング剤の製造方法。
【請求項７】
請求項１から６のいずれか一項に記載の方法によりコーティング剤を製造する工程と、
該コーティング剤の塗膜に活性エネルギー線を照射して表面層を形成する工程とを有することを特徴とする電子写真用部材の製造方法。
【手続補正２】
【補正対象書類名】明細書
【補正対象項目名】発明の名称
【補正方法】変更
【補正の内容】
【発明の名称】コーティング剤の製造方法及び電子写真用部材の製造方法
【手続補正３】
【補正対象書類名】明細書
【補正対象項目名】０００１
【補正方法】変更
【補正の内容】
【０００１】
本発明は、コーティング剤の製造方法や、得られるコーティング剤を用いて形成された表面層を有する電子写真用部材の製造方法に関する。
【手続補正４】
【補正対象書類名】明細書
【補正対象項目名】０００８
【補正方法】変更
【補正の内容】
【０００８】
また、本発明の課題は、塗工むら、塗工すじ等を抑制した表面層が形成された電子写真用部材の製造方法を提供することにある。
【手続補正５】
【補正対象書類名】明細書
【補正対象項目名】０００９
【補正方法】変更
【補正の内容】
【０００９】
本発明は、下記の工程（１）、（２）および（３）を有することを特徴とするコーティング剤の製造方法：
（１）加水分解性シラン化合物（Ａ）、アルコール（Ｂ）、及び炭酸水（Ｃ）を混合し、炭酸水（Ｃ）の混合量によりｐＨを５．０≦ｐＨ≦６．４に調整して混合物を作成する工程、
（２）前記混合物を加熱還流して、加水分解性シラン化合物（Ａ）の脱水・縮合反応によりポリシロキサンを生成させポリシロキサン溶液を作成する工程、
（３）前記ポリシロキサン溶液に光重合開始剤（Ｄ）を添加する工程に関する。
【手続補正６】
【補正対象書類名】明細書
【補正対象項目名】００１０
【補正方法】変更
【補正の内容】
【００１０】
また、本発明は、上記方法によりコーティング剤を製造する工程と、
該コーティング剤の塗膜に活性エネルギー線を照射して表面層を形成する工程とを有することを特徴とする電子写真用部材の製造方法に関する。
【手続補正７】
【補正対象書類名】明細書
【補正対象項目名】００１２
【補正方法】変更
【補正の内容】
【００１２】
また、本発明によれば、塗工むら、塗工すじ等を抑制した表面層が形成された電子写真用部材の製造方法を提供できる。
【手続補正８】
【補正対象書類名】明細書
【補正対象項目名】００１３
【補正方法】変更
【補正の内容】
【００１３】
本発明のコーティング剤の製造方法は、工程（１）、（２）、（３）を有することを特徴とする。
【手続補正９】
【補正対象書類名】明細書
【補正対象項目名】００５１
【補正方法】変更
【補正の内容】
【００５１】
工程（２）において得られるポリシロキサン溶液中に残留するモノマーは、工程（１）において、混合物のｐＨが５．０≦ｐＨ≦６．４に調整された場合、極めて少ないものとなる。工程（２）で得られるポリシロキサン溶液中の固形分と、工程（１）における混合物のｐＨとの関係を図２に示す。工程（１）における混合物のｐＨが６．４より大きくなると、固形分の低下が急激となり、残留モノマー量が増加する。工程（１）における混合物のｐＨが５．０よりも低い場合は図示していないが、固形分はほぼ理論値に近い値となる。
【手続補正１０】
【補正対象書類名】明細書
【補正対象項目名】００５４
【補正方法】変更
【補正の内容】
【００５４】
ポリシロキサンの重量平均分子量（Ｍｗ）と、固形分の関係を図３に示す。ポリシロキサン溶液中の固形分が６．６質量％以上７．４質量％以下となるような範囲であると、重量平均分子量（Ｍｗ）が常用対数表示において４．０以上４．５以下のポリシロキサンを得ることができる。
【手続補正１１】
【補正対象書類名】明細書
【補正対象項目名】００６７
【補正方法】変更
【補正の内容】
【００６７】
本発明の電子写真用部材の製造方法を用いて得られた電子写真用部材は、上記コーティング剤の製造方法によって得られたコーティング剤を塗布し、活性エネルギー線を照射して形成した表面層を有する。
【手続補正１２】
【補正対象書類名】明細書
【補正対象項目名】００７２
【補正方法】変更
【補正の内容】
【００７２】
本発明の電子写真用部材の製造方法を用いて得られた電子写真用部材の一例として、図１に示す電子写真装置用ローラーを以下に説明する。図１に示すローラーは、支持体１０１上に導電性弾性層１０２を有し、導電性弾性層上に、上記表面層１０３を有する。
【手続補正１３】
【補正対象書類名】明細書
【補正対象項目名】００８６
【補正方法】変更
【補正の内容】
【００８６】
本発明の電子写真用部材の製造方法を用いて得られた電子写真用部材を適用したプロセスカートリッジを備えた電子写真装置の一例を、図４に示す。図４に示す電子写真装置は、軸２を中心に矢印方向に所定の周速度で回転駆動される円筒状の感光体１を有する。感光体は支持体、支持体上に形成された感光層、電荷注入層、表面層等を有するものであってもよい。
【手続補正１４】
【補正対象書類名】明細書
【補正対象項目名】０１３０
【補正方法】変更
【補正の内容】
【０１３０】
【図１】本発明の電子写真用部材の製造方法を用いて得られた電子写真用部材の一例を示す側面図である。
【図２】本発明のコーティング剤の製造方法における工程（１）により得られる混合物のｐＨと工程（２）により得られるポリシロキサン溶液に含有される固形分との関係を示す図である。
【図３】本発明のコーティング剤の製造方法における工程（２）より得られるポリシロキサン溶液に含有される固形分とポリシロキサンの重量平均分子量との関係を示す図である。
【図４】本発明の電子写真用部材の製造方法を用いて得られた電子写真用部材を適用した電子写真装置の一例を示す概略構成図である。